(57)【要約】      （修正有）【課題】勤務者の勤務結果の管理からの不正を排除することができしかも各種労務管理における有用性が高い勤務管理装置を提供する。【解決手段】出退勤チェック端末機１は、勤務者Ｍが所持するバーコード付きの勤務者カード３を読取って出勤，退勤の時刻をチェックするとともに勤務者カード３の読取りの際に私用の外出，戻りであることをスイッチ操作で入力することのできる勤務者カード読取部１１と、勤務者カード３の読取りの際に勤務者Ｍの顔の画像を撮影するカメラ部１２とが設けられている。管理コンピュータ２は、出退勤チェック端末機１のチェック，入力から各勤務者の出勤，退勤の時刻と私用の外出，戻りの時刻と顔の画像とを一覧表示するとともに給与計算の元となる勤務時間を算出表示する勤務表４を作成する。【選択図】図１
0003202629.tif 000002
【実用新案登録請求の範囲】
【請求項１】
出退勤チェック端末機と出退勤チェック端末機に接続された管理コンピュータとを備え、出退勤チェック端末機は勤務者が所持するバーコード付きの勤務者カードを読取って出勤，退勤の時刻をチェックするとともに勤務者カードの読取りの際に私用の外出，戻りであることをスイッチ操作で入力することのできる勤務者カード読取部と勤務者カードの読取りの際に勤務者の顔の画像を撮影するカメラ部とが設けられ、管理コンピュータは出退勤チェック端末機のチェック，入力から各勤務者の出勤，退勤の時刻と私用の外出，戻りの時刻と顔の画像とを一覧表示するとともに給与計算の元となる勤務時間を算出表示する勤務表を作成することができることを特徴とする勤務管理装置。
【請求項２】
請求項１の勤務管理装置において、請求項１の勤務管理装置において、管理コンピュータで作成される勤務表は勤務者の出勤，退勤の時刻と私用の外出，戻りの時刻とに対して顔の画像が隣接して貼付けられていることを特徴とする勤務管理装置。
【考案の詳細な説明】
【技術分野】
【０００１】
本考案は、会社その他の事業所において社員等の勤務者の勤務結果を管理するための勤務管理装置に係る技術分野に属する。
【背景技術】
【０００２】
勤務者の勤務結果を管理する手段としては、いわゆるタイムレコーダを設置してカードに勤務者の出勤，退勤の時刻を印字することが広く行われている。このカードは、給与計算や休暇消化の算出に利用されたりする等の各種労務管理に供せられている。然しながら、この手段では、その勤務者以外の者が不正にカードに印字することができてしまうという不具合がある。このため、勤務者の勤務結果の管理から不正を排除することのできる技術の開発が必要になっている。
【０００３】
一方、勤務者を識別，特定するために、ＩＤが割当てられた勤務者カードを各勤務者の所持させることが普及してきている。ＩＤとしては、バーコード表示が安価，容易なものとして汎用されている。
【０００４】
従来、勤務者の勤務結果の管理から不正を排除することを指向した技術置としては、例えば、特許文献１に記載のものが知られている。
【０００５】
特許文献１には、ＩＤを読取る際に勤務者の顔の画像を撮影することのできる機器からなる勤務管理装置が記載されている。
【０００６】
特許文献１に係る勤務管理装置は、勤務者の出勤，退勤等と勤務者のその時の顔の画像とを照合できるようにすることで、勤務者の勤務結果の管理からその勤務者以外の者が関与する不正を排除しようとするものである。
【先行技術文献】
【特許文献】
【０００７】
【特許文献１】特開２００９−１５７９７号公報
【考案の概要】
【考案が解決しようとする課題】
【０００８】
特許文献１に係る勤務管理装置では、勤務者の勤務結果の管理からの不正の排除という機能が充分に確保されているものの、給与計算や休暇消化の算出等の各種労務管理に供するための手段の充分な開示がなく、各種労務管理における有用性が低いという問題点がある。
【０００９】
本考案は、このような問題点を考慮してなされたもので、勤務者の勤務結果の管理からの不正を排除することができしかも各種労務管理における有用性が高い勤務管理装置を提供することを課題とする。
【課題を解決するための手段】
【００１０】
前述の課題を解決するため、本考案に係る勤務管理装置は、実用新案登録請求の範囲の各請求項に記載の手段を採用する。
【００１１】
即ち、請求項１では、出退勤チェック端末機と出退勤チェック端末機に接続された管理コンピュータとを備え、出退勤チェック端末機は勤務者が所持するバーコード付きの勤務者カードを読取って出勤，退勤の時刻をチェックするとともに勤務者カードの読取りの際に私用の外出，戻りであることをスイッチ操作で入力することのできる勤務者カード読取部と勤務者カードの読取りの際に勤務者の顔の画像を撮影するカメラ部とが設けられ、管理コンピュータは出退勤チェック端末機のチェック，入力から各勤務者の出勤，退勤の時刻と私用の外出，戻りの時刻と顔の画像とを一覧表示するとともに給与計算の元となる勤務時間を算出表示する勤務表を作成することができることを特徴とする。
【００１２】
この手段では、不正を排除する出退勤チェック端末機に接続された管理コンピュータを備えて勤務者の顔の画像や勤務時間が一覧表示された勤務表を作成することで、タイムレコーダ用のカードのような各種労務管理における有用性も確保される。
【００１３】
また、請求項２では、請求項１の勤務管理装置において、管理コンピュータで作成される勤務表は勤務者の出勤，退勤の時刻と私用の外出，戻りの時刻とに対して顔の画像が隣接して貼付けられていることを特徴とする。
【００１４】
この手段では、勤務表で勤務者の出勤，退勤の時刻と私用の外出，戻りの時刻とに対して顔の画像が隣接して貼付けられることで、その勤務者以外の者が関与する不正を素早くチェックすることができる。
【考案の効果】
【００１５】
本考案に係る勤務管理装置は、不正を排除する出退勤チェック端末機に接続された管理コンピュータを備えて勤務者の顔の画像や勤務時間が一覧表示された勤務表を作成することで、タイムレコーダ用のカードのような各種労務管理における有用性も確保されるため、勤務者の勤務結果の管理からの不正を排除することができしかも各種労務管理における有用性が高くなる効果がある。
【００１６】
さらに、請求項２として、勤務表で勤務者の出勤，退勤の時刻と私用の外出，戻りの時刻とに対して顔の画像が隣接して貼付けられることで、その勤務者以外の者が関与する不正を素早くチェックすることができるため、各種労務管理における有用性がより高くなる効果がある。
【図面の簡単な説明】
【００１７】
【図１】本考案に係る勤務管理装置を実施するための形態の構成図である。
【図２】図１の接続のブロック図である。
【図３】図１の要部の拡大図である。
【図４】図１，２における出退勤の時刻記録の手順のフローチャートである。
【図５】図１，２における私用外出の時刻記録の手順のフローチャートである。
【図６】図１，２における私用外出の時刻記録の手順のフローチャートである。
【図７】図１，２によって作成された勤務表の正面図である。
【考案を実施するための形態】
【００１８】
以下、本考案に係る勤務管理装置を実施するための形態を図面に基づいて説明する。
【００１９】
この形態では、営業外出等のない比較的単純な勤務形態となる工場労働者からなる勤務者の勤務結果の管理に好適なものを示してある。
【００２０】
この形態は、図１，図２に示すように、出退勤チェック端末機１と出退勤チェック端末機１に接続された管理コンピュータ２とを備えている。
【００２１】
出退勤チェック端末機１は、床面に設置しやすいボックスタイプからなるもので、勤務者カード読取部１１とカメラ部１２とが設けられている。
【００２２】
出退勤チェック端末機１の勤務者カード読取部１１は、図３に詳細に示されるように、勤務者Ｍが所持するバーコード付きの勤務者カード３を光学的に読取る読取窓１１１と、タッチパネル式の表示画面１１２とからなる。表示画面１１２には、私用の「外出」と「戻り」とを申告するためのスイッチ１１２ａ，１１２ｂと、勤務者Ｍに事業所から伝達すべきメッセージ（例えば、その勤務者Ｍが出席すべき会議予定。）を表示するメッセージ欄１１２ｃとが設けられている。
【００２３】
出退勤チェック端末機１のカメラ部１２は、勤務者Ｍの顔の画像（静止画）を撮影する。ただし、防犯カメラの機能を備えて動画，静止画の双方を撮影できるものを選択することも可能である。
【００２４】
この出退勤チェック端末機１の勤務者カード読取部１１，カメラ部１２は、勤務者カード読取部１１の読取窓１１１で勤務者カード３を読取ると、勤務者Ｍの顔の画像を撮影するとともに勤務者カード３を読取った時刻をチェックする。
【００２５】
管理コンピュータ２は、マイクロプロセッサ等を有する中央処理部２１に入力部２２，出力部２３，データベース２４が接続されている。
【００２６】
管理コンピュータ２の中央処理部２１は、出退勤チェック端末機１から送信された勤務者Ｍの各時刻と勤務者Ｍの画像データとを受信して勤務表４を作成するものである。勤務者Ｍの各時刻については、図４に示すように、その日の最初に勤務者カード３を読取った時刻を「出勤時刻」とし、その日の２回目以降に勤務者カード３を読取った時刻を「退勤時刻」としてデータベース２４に記録するように設定されている。なお、私用の外出の際には、図５，図６に示すように、出退勤チェック端末機１の勤務者カード読取部１１の表示画面１１２のスイッチ１１２ａ，１１２ｂの操作によって、「私用外出時刻」，「私用戻り時刻」としてデータベース２４に記録するように設定されている。なお、この中央処理部２１は、出退勤チェック端末機１の勤務者カード読取部１１の表示画面１１２のメッセージ欄１１２ｃにメッセージを送信する。
【００２７】
管理コンピュータ２の入力部２２は、キーボード等からなるもので、中央処理部２１に必要な情報を入力したり、中央処理部２１に必要な指示を入力する。
【００２８】
管理コンピュータ２の出力部２３は、ディスプレイ，プリンタ等からなるもので、中央処理部２１で作成された勤務表４を出力する。
【００２９】
管理コンピュータ２のデータベース２４は、バーコードによって特定される勤務者Ｍごとに労務管理に必要なデータが蓄積されており、中央処理部２１が受信した勤務者Ｍの各時刻と勤務者Ｍの画像データとを勤務表４を作成するために集積する。
【００３０】
管理コンピュータ２で作成される勤務表４は、図７に示すように、月ごと等の一定の期間の毎日の「出勤時刻」４１，「退勤時刻」４２，「私用外出時刻」４３，「私用戻り時刻」４４に隣接してその時刻に撮影した勤務者Ｍの顔の画像４５が貼付けられた一覧表示となる。従って、一見してその勤務者以外の者が不正に勤務者カード３を使用したことを素早く確認することができるようになるため、勤務者Ｍの勤務結果の管理からの不正を排除することができる。
【００３１】
さらに、管理コンピュータ２で作成される勤務表４は、出勤時刻」４１，「退勤時刻」４２，「私用外出時刻」４３，「私用戻り時刻」４４から労働時間が算出表示される。従って、タイムレコーダ用のカードのように給与計算の元として利用することができる。また、「時間外労働時間」，「休日出勤」等の算出も可能で勤務表４がタイムレコーダ用のカードを詳細化したものとなるため、各種労務管理における有用性が高くなる。なお、勤務表４を元にして、管理コンピュータ２で給与明細表を作成することも可能である。
【００３２】
以上、図示した形態の外に、出退勤チェック端末機１の勤務者カード読取部１１の表示画面１１２のスイッチ１１２ａ，１１２ｂを増設して、営業外出等に対応させることも可能である。
【００３３】
さらに、管理コンピュータ２に複数台の出退勤チェック端末機１を接続したり、管理コンピュータ２と複数台の出退勤チェック端末機１とをインターネット等のコンピュータネットワークで接続することも可能である。
【００３４】
さらに、出退勤チェック端末機１にセキュリティーのためのゲートを連結することも可能である。
【符号の説明】
【００３５】
１                  出退勤チェック端末機
１１                勤務者カード読取部
１１２              表示画面
１１２ａ，１１２ｂ  スイッチ
１２                カメラ部
２                  管理コンピュータ
３                  勤務者カード
４                  勤務表
４１                「出勤時刻」
４２                「退勤時刻」
４３                「私用外出時刻」
４４                「私用戻り時刻」
４５                画像
Ｍ                  勤務者
【図１】
0003202629.tif 000003
【図２】
0003202629.tif 000004
【図３】
0003202629.tif 000005
【図４】
0003202629.tif 000006
【図５】
0003202629.tif 000007
【図６】
0003202629.tif 000008
【図７】
0003202629.tif 000009